(57)【要約】【課題】  コインの噛み込みを軽減することができ、且つ、噛み込みを発生した際に生じるコインの傷を軽減できるコイン放出装置を提供する。【解決手段】  コインが摺動して移動する平坦な摺動面１３ａを有するベース部１３と、コインを収納する囲い部であって一部に開口部５ｃが形成された囲い部５と、摺動面１３ａに沿って所定の方向Ｒ１に回転運動をするキャリングディスクであって、コインが納まる孔１１ａが形成され、孔１１ａに納まったコインを回転運動により摺動面１３ａ及び囲い部５に沿って移動することでコインを１枚ずつ、開口部５ｃから放出するキャリングディスク１１と、キャリングディスク１１を所定の方向Ｒ１と逆方向Ｒ２に回転させた場合に、移動するコインを開口部５ｃから放出されないように案内する逆転用案内部４０とを備え、逆転用案内部４０は、案内の際にコインが接触する部位が弾性部材４２で構成されるコイン放出装置１とする。【選択図】図１
2005284812.tif 000002
【特許請求の範囲】
【請求項１】
コインが摺動して移動する平坦な摺動面を有するベース部と；
前記ベース部と協働してコインを収納する囲い部であって一部に開口部が形成された囲い部と；
前記摺動面に平行に配置され、前記摺動面に沿って所定の方向に回転運動をするキャリングディスクであって、前記コインが納まる孔が形成され、該孔に納まった前記コインを前記回転運動により前記摺動面及び前記囲い部に沿って移動することで前記コインを１枚ずつ、前記開口部から放出するキャリングディスクと；
前記キャリングディスクを前記所定の方向と逆方向に回転させた場合に、前記移動するコインを前記開口部から放出されないように案内する逆転用案内部とを備え；
前記逆転用案内部は、前記案内の際に前記コインが接触する部位が弾性部材で構成された；
コイン放出装置。
【請求項２】
コインが摺動して移動する平坦な摺動面を有するベース部と；
前記ベース部と協働してコインを収納する囲い部であって一部に開口部が形成された囲い部と；
前記摺動面に平行に配置され、前記摺動面に沿って所定の方向に回転運動をするキャリングディスクであって、前記コインが納まる孔が形成され、該孔に納まった前記コインを前記回転運動により前記摺動面及び前記囲い部に沿って移動することで前記コインを１枚ずつ、前記開口部から放出するキャリングディスクと；
前記キャリングディスクを前記所定の方向と逆方向に回転させた場合に、前記移動するコインを前記開口部から放出されないように案内する逆転用案内部とを備え；
前記逆転用案内部は、前記キャリングディスクの回転軸と略平行な軸で回転可能である回転部材を有する；
コイン放出装置。
【請求項３】
前記逆転用案内部は、前記回転部材の外周に取り付けられた弾性部材を有する；
請求項２に記載のコイン放出装置。
【請求項４】
前記回転部材は、転がり軸受であることを特徴とする；
請求項２又は請求項３に記載のコイン放出装置。
【発明の詳細な説明】
【技術分野】
【０００１】
本発明は、コイン放出装置に関し、特にコインの噛み込みを軽減することができ、且つ、噛み込みを発生した際に生じるコインの傷を軽減できるコイン放出装置に関する。
【背景技術】
【０００２】
従来のコイン放出装置としては、例えば収納した硬貨を、回転円板を有する繰出機構により１枚ずつ硬貨を繰り出せるホッパがあった。またホッパは、繰出機構により繰り出した硬貨を、繰出機構に接続された搬送通路（放出シュート）を介して外部に放出できる構造を有している。このようなホッパは、例えば硬貨処理装置に内蔵され、釣銭用硬貨の収納、放出に用いられている。なおこのようなホッパは、硬貨を安定して放出できるように、回転円板を、回転方向を変えて回転させる（逆方向に回転させる）ことで収納した硬貨を均す処理（平滑処理）を行っていた（例えば、特許文献１参照。）。
【特許文献１】特開２００２−２２２４４９号公報
【発明の開示】
【発明が解決しようとする課題】
【０００３】
しかし、以上のようなホッパでは、例えばホッパへコインを収容するときや、回転円板を逆方向に回転させたりすることにより、コインが予想外の動きをすることで、コインの噛み込みが発生してしまうことがあった。さらに、コインとして樹脂製のコインや比較的軟らかい金属媒体（例えば１円硬貨）を用いている場合には、噛み込みを発生すると傷が生じてしまうことがあった。
【０００４】
そこで本発明は、コインの噛み込みを軽減することができ、且つ、噛み込みを発生した際に生じるコインの傷を軽減できるコイン放出装置を提供することを目的とする。
【課題を解決するための手段】
【０００５】
上記目的を達成するために、請求項１に係る発明によるコイン放出装置１は、例えば図１、図５に示すように、コインが摺動して移動する平坦な摺動面１３ａを有するベース部１３と；ベース部１３と協働してコインを収納する囲い部であって一部に開口部５ｃが形成された囲い部５と；摺動面１３ａに平行に配置され、摺動面１３ａに沿って所定の方向Ｒ１に回転運動をするキャリングディスクであって、前記コインが納まる孔１１ａが形成され、該孔１１ａに納まった前記コインを前記回転運動により摺動面１３ａ及び囲い部５に沿って移動することで前記コインを１枚ずつ、開口部５ｃから放出するキャリングディスク１１と；キャリングディスク１１を前記所定の方向Ｒ１と逆方向Ｒ２に回転させた場合に、前記移動するコインを開口部５ｃから放出されないように案内する逆転用案内部４０とを備え；逆転用案内部４０は、前記案内の際に前記コインが接触する部位が弾性部材４２で構成される。
【０００６】
このように構成すると、ベース部１３と、囲い部５と、キャリングディスク１１とを備えるので、ベース部１３と囲い部５とで協働して収納されたコインでキャリングディスク１１に形成された孔１１ａに納まったコインを、キャリングディスク１１の所定の方向Ｒ１の回転運動により摺動面１３ａ及び囲い部５に沿って移動することでコインを１枚ずつ、開口部５ｃから放出することができる。また逆転用案内部４０を備えているので、キャリングディスク１１を所定の方向Ｒ１と逆方向Ｒ２に回転させた場合に、前記移動するコインを開口部５ｃから放出されないように案内できる。さらに、逆転用案内部４０は、前記案内の際にコインが接触する部位が弾性部材４２で構成されるので、コインの噛み込みを軽減することができ、且つ、噛み込みを発生した際に生じるコインの傷を軽減できるコイン放出装置を提供できる。
【０００７】
上記目的を達成するために、請求項２に係る発明によるコイン放出装置１は、例えば図１、図５に示すように、コインが摺動して移動する平坦な摺動面１３ａを有するベース部１３と；ベース部１３と協働してコインを収納する囲い部であって一部に開口部５ｃが形成された囲い部５と；摺動面１３ａに平行に配置され、摺動面１３ａに沿って所定の方向Ｒ１に回転運動をするキャリングディスクであって、前記コインが納まる孔１１ａが形成され、該孔１１ａに納まった前記コインを前記回転運動により摺動面１３ａ及び囲い部５に沿って移動することで前記コインを１枚ずつ、開口部５ｃから放出するキャリングディスク１１と；キャリングディスク１１を前記所定の方向Ｒ１と逆方向Ｒ２に回転させた場合に、前記移動するコインを開口部５ｃから放出されないように案内する逆転用案内部４０とを備え；逆転用案内部４０は、キャリングディスク１１の回転軸と略平行な軸で回転可能である回転部材４１を有する。
【０００８】
このように構成すると、ベース部１３と、囲い部５と、キャリングディスク１１とを備えるので、ベース部１３と囲い部５とで協働して収納されたコインでキャリングディスク１１に形成された孔１１ａに納まったコインを、キャリングディスク１１の所定の方向Ｒ１の回転運動により摺動面１３ａ及び囲い部５に沿って移動することでコインを１枚ずつ、開口部５ｃから放出することができる。また逆転用案内部４０を備えているので、キャリングディスク１１を所定の方向Ｒ１と逆方向Ｒ２に回転させた場合に、前記移動するコインを開口部５ｃから放出されないように案内できる。さらに、逆転用案内部４０は、キャリングディスク１１の回転軸と略平行な軸で回転可能である回転部材４１を有するので、コインの噛み込みを軽減することができ、且つ、噛み込みを発生した際に生じるコインの傷を軽減できるコイン放出装置を提供できる。
【０００９】
また請求項３に記載のように、請求項２に記載のコイン放出装置１では、例えば図６に示すように、逆転用案内部４０は、前記回転部材４１の外周に取り付けられた弾性部材４２を有するとよい。
【００１０】
このように構成すると、例えば噛み込みが発生する際のコインの逆転用案内部４０への衝突の衝撃を、回転部材４１による回転と回転部材４１の外周に取り付けられた弾性部材４２による弾性で吸収できるので、コインの噛み込みを軽減することができ、且つ、噛み込みを発生した際に生じるコインの傷を軽減できる。
【００１１】
また請求項４に記載のように、請求項２又は請求項３に記載のコイン放出装置１では、前記回転部材４１は、転がり軸受であることを特徴とするとよい。このように構成すると、製作が容易であり、さらに回転部材４１が円滑に回転できる。
【発明の効果】
【００１２】
以上のように本発明によれば、コインが摺動して移動する平坦な摺動面を有するベース部と、前記ベース部と協働してコインを収納する囲い部であって一部に開口部が形成された囲い部と、前記摺動面に平行に配置され、前記摺動面に沿って所定の方向に回転運動をするキャリングディスクであって、前記コインが納まる孔が形成され、該孔に納まった前記コインを前記回転運動により前記摺動面及び前記囲い部に沿って移動することで前記コインを１枚ずつ、前記開口部から放出するキャリングディスクと、前記キャリングディスクを前記所定の方向と逆方向に回転させた場合に、前記移動するコインを前記開口部から放出されないように案内する逆転用案内部とを備え、前記逆転用案内部は、前記案内の際に前記コインが接触する部位が弾性部材で構成されているので、コインの噛み込みを軽減することができ、且つ、噛み込みを発生した際に生じるコインの傷を軽減できるコイン放出装置を提供できる。
【発明を実施するための最良の形態】
【００１３】
以下、本発明の実施の形態について、図面を参照して説明する。なお、各図において互いに同一あるいは相当する部材には同一符号を付し、重複した説明は省略する。
【００１４】
図１は、本発明の実施の形態に係るコイン放出装置としてのホッパ１を説明する正面図である。ここで（ａ）はホッパ１の側面図、（ｂ）は正面図である。ホッパ１は、コインが摺動して移動する平坦な摺動面としての繰出面１３ａを有するベース部としてのホッパベース１３と、ホッパベース１３と協働してコインを収納する囲い部であって一部に開口部としての出口開口部５ｃが形成された囲い部としてのホッパケース５と、繰出面１３ａに平行に配置され、繰出面１３ａに沿って所定の方向に回転運動をするキャリングディスク１１であって、前記コインが納まる孔１１ａが形成され、該孔１１ａに納まった前記コインを前記回転運動により繰出面１３ａ及びホッパケース５に沿って移動することで前記コインを１枚ずつ、出口開口部５ｃから放出するキャリングディスク１１と、キャリングディスク１１を前記所定の方向と逆方向に回転させた場合に、前記移動するコインを出口開口部５ｃから放出されないように案内する逆転用案内部としての逆転ガイド４０とを備えている。なお、コインとは硬貨、メダル、トークン等を広く含む概念である。本実施の形態ではコインは例えばトークンや比較的軟らかい硬貨（例えば１円硬貨）である。言い換えればコインは比較的軟らかい材質で形成されたものである。ここではコインはトークンの場合で説明する。なおここでいうトークンとは、いわゆる代用硬貨であり、例えば樹脂製の外壁で内部にＩＣチップが埋め込まれているものである。また本実施の形態で用いるトークンは直径が３０〜３５ｍｍ程度、厚さが２ｍｍ程度の大きさを有するものである。以下上記各構成について詳細に説明する。
【００１５】
なお本実施の形態では、ホッパ１は、例えば遊技機や自動販売機等に内蔵され、利用者より投入されたコインの処理、あるいは収納したコインの払出を行うコイン処理装置に備えられるものである。また本実施の形態では、ホッパ１は例えばキャリングディスク１１の回転運動が制御手段１５０により制御されるように構成されている。制御手段１５０は、ホッパ１の外部に設けられるものである。ここでは制御手段１５０は、上記のコイン処理装置に備えられ、コイン処理装置を制御するものでもある。なお、ここではホッパ１が外部の制御手段１５０により制御される場合で説明するが、ホッパ１が制御手段１５０を備えるように構成してもよい。即ちホッパ１が制御手段１５０を内蔵するようにしてもよい。ここではホッパ１はコネクタ１９を介して制御手段１５０に電気的に接続されている。
【００１６】
ホッパケース５は、コインを収納するものであり、ホッパ１の上部に配置されている。また、ホッパケース５は、上部に上部開口部５ａを有しており、この上部開口部５ａからコインが供給できるように構成されている。ホッパケース５は、透明な樹脂により形成されている。これにより収納されたコインの状態を外部から目視することで確認できる。また本実施の形態では、ホッパケース５とホッパベース１３で協働してコインを収納するように構成される。ここではホッパケース５は、コインを２５０枚程度収納できる大きさを有している。さらに、ホッパケース５の底部近傍の側面には、コインを放出できる出口開口部５ｃが形成されている。ホッパ１は、ホッパケース５の出口開口部５ｃからキャリングディスク１１により、コインを図中Ｍ１方向へ放出できる。
【００１７】
また、ホッパケース５には、収納されたコインが無いことを検知するためのエンドセンサ６と、収納されたコインが少ないことを検知するためのニヤエンドセンサ７が取り付けられている。なおエンドセンサ６とニヤエンドセンサ７は収納したコインを検知する収納コイン検知手段である。エンドセンサ６は、ホッパケース５の底部近傍に、ニヤエンドセンサ７は、エンドセンサ６の少なくとも上方に配置されている。さらに具体的には、エンドセンサ６は、後述のキャリングディスク１１の上面とおよそ同じ高さの位置に配置されている。エンドセンサ６、ニヤエンドセンサ７は、光を投光する投光部と、投光部より投光された光を受光する受光部とで構成され、投光部で投光された光が物体で遮光されることにより、受光部で受光できなくなることでその物体の存在を検知する光学センサ、例えばフォトセンサである。以下、エンドセンサ６、ニヤエンドセンサ７は、フォトセンサを用いる場合で説明する。エンドセンサ６、ニヤエンドセンサ７は、それぞれコインの検知結果を例えばキャリングディスク１１の回転運動を制御する制御手段１５０へ出力するように構成されている。
【００１８】
またホッパ１は、キャリングディスク１１を回転運動させるように駆動する駆動手段を有している。さらに駆動手段は、ギヤヘッド１４とモータ１５とを含んで構成される。モータ１５には、トルクに優れるもの例えば直流モータ（ＤＣモータ）を用いるとよい。以下モータ１５は、ＤＣモータ１５の場合で説明する。ギヤヘッド１４は、ＤＣモータ１５の回転を減速してキャリングディスク１１に伝達するものである。キャリングディスク１１は、ギヤヘッド１４を介してＤＣモータ１５により回転駆動可能に構成されている。ＤＣモータ１５は、例えばコネクタ１９を介して、キャリングディスク１１の回転運動を制御する制御手段１５０に電気的に接続されている。ＤＣモータ１５は、コネクタ１９を介して制御手段１５０より電源供給を受け、制御手段１５０より出力される駆動信号により制御される。
【００１９】
ホッパベース１３には、上面に水平面に対して所定の角度で傾斜した繰出面１３ａが形成されている。またキャリングディスク１１は、ホッパベース１３の繰出面１３ａ上に回転可能に取り付けられている。即ちキャリングディスク１１は、水平面に対して所定の角度で傾斜している。言い換えれば、鉛直方向から所定の角度で傾斜した軸回りに回転運動可能に取り付けられる。所定の角度は、好ましくは２０〜４０度程度である。なお、図１では３０度程度の場合を示している。このようにすることで、ホッパ１は、例えばキャリングディスク１１に収納されたコインの荷重が適切に作用し、収納したコインを安定して放出できる。
【００２０】
ここで図２の平面図を参照して、適宜図１を参照してホッパ１についてさらに説明する。なお、図２は図１のＡ−Ａ’矢視図である（但しホッパケース５は二点鎖線により模式的に表示）。
【００２１】
キャリングディスク１１は、鉛直方向から所定の角度で傾斜した中心軸Ｏ（オー）回りで、前記駆動手段により駆動されることで回転運動する。キャリングディスク１１は、所定の方向の回転運動として図中Ｒ１方向に回転運動することでコインを放出できる。即ちキャリングディスク１１の所定の方向の回転運動は、ここでは図中Ｒ１方向に回転である（以下所定の方向の回転を正回転という）。なお、キャリングディスク１１は、所定の方向と逆方向の図中Ｒ２方向にも回転運動される（以下所定の方向と逆方向の回転を逆回転という）。Ｒ２方向に回転した場合には、コインは出口開口部５ｃから放出されないように構成されている。
【００２２】
ここで図３の平面図を参照して、キャリングディスク１１についてさらに説明する。図３は、キャリングディスク１１の裏面図である。キャリングディスク１１には、コインを受入可能な大きさの孔１１ａが１以上形成されている。さらに言えば、孔１１ａの形状は円形であり、その直径は、コインの直径よりも僅かに大きい。本実施の形態では、孔１１ａは、中心軸Ｏと同心のピッチ円上に３つ形成されている。
【００２３】
キャリングディスク１１の裏面には、孔１１ａが受け入れたコインを放出するための段差１１ｂが形成されている。この段差１１ｂは、手裏剣形状の部位１１ｃを残して、他の部位１１ｄをおよそコイン１枚分の厚さだけ削ることにより形成されている。これにより段差１１ｂの対面には、段差１１ｅが形成されている。また、部位１１ｃには、後述のゲートピン１６が逃げるための溝１１ｆが形成されている。
【００２４】
図２に戻って、ホッパ１についてさらに説明する。ホッパベース１３には、キャリングディスク１１の孔１１ａに受け入れられたコインを出口開口部５ｃへ案内するためのゲートピン１６が備えられている。ゲートピン１６は、板バネ１６ａにより、ゲートピン１６の長手方向に下から上へ付勢されて取り付けられている。即ちゲートピン１６は、ホッパベース１３の繰出面１３ａから、板バネ１６ａの付勢力によりその一部を突出した状態にある。これにより、コインがキャリングディスク１１とゲートピン１６との間に挟まって噛み込まれた場合でも、ゲートピン１６が板バネ１６ａの付勢力に打ち勝って沈み込むことで、この噛み込みが解消しやすくなる。
【００２５】
また、ホッパベース１３は、ホッパケース５の出口開口部５ｃの幅を規制するためのコインガイド１７と、コインの放出を規制するとともにコインをはじき飛ばすための送出機構１８とを有している。コインガイド１７は、ホッパベース１３の繰出面１３ａの出口開口部５ｃ近傍に取り付けられている。コインガイド１７は、コインの大きさに対応してホッパケース５の出口開口部５ｃの幅を規制する略台形の板状のものであり、扱うコインの種類毎に大きさ及び形状が異なる。さらに、コインガイド１７は、後述の送出ローラ１８ａの回動による不図示のバネの伸び量が一定となるようにして不図示のバネの付勢力をほぼ一定に保つように放出されるコインの動きを規制する構造となっている。
【００２６】
送出機構１８は、ホッパベース１３の繰出面１３ａの出口開口部５ｃ近傍に、コインガイド１７に対向して取り付けられている。送出機構１８は、コインの放出を規制するとともにコインをはじき飛ばすための送出ローラ１８ａと、送出ローラ１８ａを回動可能に支持するリンク１８ｂと、送出ローラ１８ａを付勢する不図示のバネとを含んで構成される。
【００２７】
またホッパ１は、キャリングディスク１１により出口開口部５ｃから放出されるコインが移動する搬送通路としての放出シュート２０を備えている。放出シュート２０は、前述したように、出口開口部５ｃから放出されたコインが移動するものである。ここでは放出シュート２０は、板金により形成されている。放出シュート２０は、ホッパケース５の出口開口部５ｃ近傍に接続されており、キャリングディスク１１により出口開口部５ｃから放出されるコインを装置外へ放出できる。
【００２８】
さらに、放出シュート２０には、放出シュート２０を移動するコインを検知する放出コイン検知手段としての計数センサ３０が配設されている。計数センサ３０が取り付けられている。計数センサ３０は、例えば前述のエンドセンサ６と同様なもの、即ち光を投光する投光部と、投光部より投光された光を受光する受光部とで構成され、投光部で投光された光が物体で遮光されることにより、受光部で受光できなくなることでその物体の存在を検知するフォトセンサである。以下、計数センサ３０は、フォトセンサを用いる場合で説明する。計数センサ３０は、コインの検知結果を例えばキャリングディスク１１の回転運動を制御する制御手段１５０（図１参照）へ出力する。
【００２９】
ここで図４を参照して、キャリングディスク１１の回転によるコインの放出について説明する。なおここでは説明のために放出シュート２０の上部を省略して示している。キャリングディスク１１の孔１１ａ受け入れられたコインは、キャリングディスク１１の正回転（Ｒ１方向の回転）により出口開口部５ｃまで案内された位置で、コインガイド１７と送出機構１８の送出ローラ１８ａによりその移動が規制される。しかしコインは、正回転するキャリングディスク１１の段差１１ｂにより、送出機構１８の不図示のバネによる付勢力に打ち勝って送出ローラ１８ａを回動させながら、Ｍ１方向に押出される。コインは、さらに段差１１ｂにより押出されると、送出ローラ１８ａの回動により蓄積された送出機構１８のバネの弾性エネルギーにより、はじき飛ばされるように放出される。また、キャリングディスク１１が逆回転（Ｒ２方向の回転）しているときには、キャリングディスク１１の孔１１ａに受け入れられたコインは、出口開口部５ｃまで案内されても、コインガイド１７と送出ローラ１８ａによりその移動が規制され、放出されることはない。これは、キャリングディスク１１が逆回転しているときには、段差１１ｅにより、コインが孔１１ａ内に留まる方向の力が作用するためである。
【００３０】
図５を参照して、逆転ガイド４０について説明する。なおここでは説明のために放出シュート２０の上部を省略して示している。逆転ガイド４０は、ホッパケース５の出口開口部５ｃの端部近傍に配設されている。さらに言えば逆転ガイド４０は、送出機構１８側（コインガイド１７側と逆側）の送出ローラ１８ａと出口開口部５ｃの端部との間に配設されている。逆転ガイド４０は、キャリングディスク１１の回転軸と略平行な軸で回転可能である回転部材４１と、回転部材４１の外周に取り付けられた弾性部材４２とを有している。弾性部材は例えばゴムや板バネである。ここでは弾性部材はゴムである場合で説明する。またここではキャリングディスク１１の回転軸と回転部材４１の回転軸とは平行である。回転部材４１は、ホッパベース１３の繰出面１３ａに回転可能に取り付けられている。
【００３１】
ここで図６を参照して逆転ガイド４０をさらに詳細に説明する。なお（ａ）は平面図、（ｂ）はＢ−Ｂ’断面図である。ここでは回転部材４１は、転がり軸受である。転がり軸受としてはいわゆるボールベアリングを用いる。また弾性部材としてのゴム４２は、取付部材としてのカラー４３を介して回転部材としてのボールベアリング４１（以下ベアリング４１という）の外周に取り付けられる。さらに具体的には、ゴム４２のベアリング４１への取り付けは、ゴム４２がカラー４３の外周に焼付けにより装着され、さらにゴム４２が装着されたカラー４３の内周をベアリング４１の外周へ圧入することにより固着されることで取り付けられている。このようにすることで、回転部材４１への弾性部材４２の装着性が向上し、耐久性が向上する。なおここではゴム４２はカラー４３を介してベアリング４１に取り付ける場合で説明したが、直接取り付ける例えばゴム４２をベアリング４１の外周に接着してもよい。
【００３２】
図５、図７を参照して、コインの噛み込みについて説明する。ホッパ１に収納されたコインは、例えばその収納状態、前回の放出やキャリングディスク１１を逆回転（Ｒ２方向へ回転）させた際のキャリングディスク１１の停止位置によりコインとキャリングディスク１１の位置関係が一定でないため噛み込みが発生する場合がある。なお噛み込みは基本的にキャリングディスク１１が正回転（Ｒ１方向の回転）する際に発生しやすい。
【００３３】
ここで図７に示すように、仮に逆転ガイド４０の代わりに金属製の板状部材で形成された逆転ガイド４０ａを用いた場合には、図示のように、ゲートピン１６に乗り上げ、キャリングディスク１１の手裏剣形状の部位１１ｃ（段差１１ｂ）と、送出機構１８（送出ローラ１８ａ）と、逆転ガイド４０ａとの３点で噛み込んだ状態をとなる場合がある。また図示しないが、ゲートピン１６に乗り上げ、キャリングディスク１１の手裏剣形状の部位１１ｃ（段差１１ｂ）と、逆転ガイド４０ａとの２点で噛み込んだ状態となる場合がある。コインの噛み込みは、このようないずれの噛み込みの場合でも、コインが各構成と接触点で衝突することで発生している。またこのような噛み込みは、コインの引っかかりや、コインやキャリングディスク１１等に負荷がかかってしまうだけでなくコインに傷を付けてしまう。さらに噛み込んだコインによりキャリングディスク１１がロックしてしまいホッパ１が停止してしまう（コインの放出が不能になる）場合もある。
【００３４】
一方図５に示すように、ベアリング４１とゴム４２とで構成された逆転ガイド４０では、上述と同様に、例えばゲートピン１６に乗り上げ、キャリングディスク１１の段差１１ｂと、送出ローラ１８ａと、逆転ガイド４０のゴム４２との３点で噛み込んだ状態となる。この際には、逆転ガイド４０は、コインの接触する部位が回転可能であることで、例えばコインとゴム４２が接触する毎に逆転ガイド４０が回転することで、コインの引っかかりや負荷を軽減し、さらにキャリングディスク１１をロックさせないので、噛み込む確率も軽減される。また、コインの噛み込みが発生してしまう場合があっても、逆転ガイド４０はコインが逆転ガイド４０に衝突する際の衝撃をゴム４２の弾性で吸収するので、コインに生じる傷を軽減できる。
【００３５】
さらに逆転ガイド４０は、回転することで、コインが同一箇所に衝突する確率が低く、言い換えれば逆転ガイド４０の全周に衝突箇所が分散するので、耐久性を向上させることができる。また逆転ガイド４０の耐久性が向上することで、逆転ガイド４０の機能（噛み込み防止の機能）が安定するため、例えば長期間の運用でコインに傷が付く確率を低減できる。即ちコインの耐久性も向上する。また、例えばコインの噛み込みを発生した際にキャリングディスク１１を逆回転させて噛み込みを解除させようとしたときに、逆転ガイド４０が回転可能であることで、噛み込みが解除されやすくなり、信頼性あるいは運用効率が向上する。
【００３６】
なお以上では、逆転ガイド４０は、回転部材４１と弾性部材４２とを有する場合で説明したが、これに限らず、例えばどちらか一方であってもよい。即ち上述の逆転ガイド４０の代わりに、キャリングディスク１１を所定の方向と逆方向に回転させた場合に、キャリングディスク１１の回転運動により繰出面１３ａを移動するコインを出口開口部５ｃから放出されないように案内する際にコインが接触する部位が弾性部材で構成された逆転ガイドとしてもよい。この場合の逆転ガイドは、例えば図７に示す逆転ガイド４０ａと同じ形状の弾性部材（例えばゴム）で形成するとよい。また、上述の逆転ガイド４０の代わりに、回転部材例えばベアリング４１で構成された逆転ガイドとしてもよい。この場合、ベアリング４１の外周が前記案内する際にコインが接触する部位となる。上記各々の逆転ガイドを用いると構成が単純であるため、例えば製作が容易である。
【００３７】
以上のように本実施の形態のホッパ１は、ホッパベース１３と、ホッパケース５と、キャリングディスク１１と、逆転ガイド４０とを備え、さらに逆転ガイド４０は、キャリングディスク１１の回転軸と略平行な軸で回転可能であるベアリング４１と、ベアリング４１の外周に取り付けられたゴム４２とを有するので、コインの噛み込みを軽減することができ、且つ噛み込みを発生した際に生じるコインの傷を軽減できる。また、ホッパ１は逆転ガイド４０により、コインの噛み込みが発生したときに、その衝撃をゴム４２の弾性により吸収できるので、コインに生じる傷を軽減できる。さらに、逆転ガイド４０はベアリング４１を有しているので、逆転ガイド４０がコインと接触する毎に回転し、コインの噛み込みあるいは噛み込みによるロック状態を発生させないので、噛み込む確率も低くできる。
【図面の簡単な説明】
【００３８】
【図１】本発明の実施の形態に係るホッパの外観を示す図であり、（ａ）は側面図、（ｂ）は正面図である。
【図２】図１での、Ａ−Ａ’矢視図である。
【図３】図１での、キャリングディスクの裏面を示す平面図である。
【図４】本発明の実施の形態に係るキャリングディスクの回転によるコインの放出について説明する平面図である。
【図５】本発明の実施の形態に係る逆転ガイドについて説明する平面図である。
【図６】図５での、逆転ガイドの詳細について説明する図であり、（ａ）は平面図、（ｂ）はＢ−Ｂ’断面図である。
【図７】本発明の実施の形態に係るコインの噛み込みについて説明する平面図である。
【符号の説明】
【００３９】
１  ホッパ
５  ホッパケース
６  エンドセンサ
７  ニヤエンドセンサ
１１  キャリングディスク
１３  ホッパベース
１５  ＤＣモータ
１７  コインガイド
１８  送出機構
２０  放出シュート
３０  計数センサ
４０  逆転ガイド
４１  ベアリング（回転部材）
４２  ゴム（弾性部材）
１５０  制御手段
【図１】
2005284812.tif 000003
【図２】
2005284812.tif 000004
【図３】
2005284812.tif 000005
【図４】
2005284812.tif 000006
【図５】
2005284812.tif 000007
【図６】
2005284812.tif 000008
【図７】
2005284812.tif 000009